(57)【要約】【課題】ユーザ個人により登録されたり、共有化されたコースも配信対象に加えることで、ユーザのニーズにマッチしたドライブコースを提供するナビゲーションの技術すなわちサーバシステム、車両端末装置、ドライブコース配信システム及び方法、情報処理方法及びプログラムを提供すること。【解決手段】車載機１からの要求に応じて車載機１に対し配信サーバ２が提供する対象は、基本コースの他、情報登録装置Ｃから登録された施設情報や個人コース、さらには個人コースが他者も使用できるように共有化した共有コースから、要求者が選択できる。【選択図】　図１
2004077344.tif 000002
【特許請求の範囲】
【請求項１】
通信網を通して車両に対し、ナビゲーション用のデータで表されたドライブコースを提供するサーバシステムにおいて、
前記ドライブコースとして少なくとも、予め用意された基本ドライブコースと、ユーザが登録した個人ドライブコースと、前記個人ドライブコースを他者も使用できるように共有化した共有ドライブコースと、を格納する手段と、
前記通信網を経て接続されるクライアントシステムから、前記個人ドライブコースの登録、個人ドライブコースを前記共有ドライブコースとして共有化する登録、及びいずれかのコースに含まれることがある施設に関する施設情報の登録を受け付ける手段と、
前記通信網を介して前記車両に対し、その車両からの要求信号に応じた前記ドライブコースを提供する手段と、
を備えたことを特徴とするサーバシステム。
【請求項２】
前記通信網は、インターネットであることを特徴とする請求項１記載のサーバシステム。
【請求項３】
前記クライアントシステムからの前記個人ドライブコース又は施設情報の登録にあたって、前記サーバシステムは、
そのクライアントシステムから前記通信網を介して、個人ドライブコースまたは施設情報のどちらを登録したいかの要求と、ユーザ識別情報と、を受信し、
前記ユーザ識別情報に基いてユーザのアクセス権を確認したうえで、前記要求に応じドライブコース作成メニュー又は施設情報作成メニューのデータを前記クライアントシステムに送り、
そのクライアントシステムにおいて前記ドライブコース作成メニュー又は前記施設情報作成メニューへの情報入力により得られたドライブコース又は施設に関する情報を、そのクライアントシステムから受信して登録するように構成されたことを特徴とする請求項１又は２記載のサーバシステム。
【請求項４】
前記ドライブコース作成メニューにおいて、前記情報入力にあたり、施設情報取得と、コース作成と、作成コースの選択と、コース条件設定と、コース登録と、コース編集と、コース条件編集と、施設編集と、未処理コース編集と、を選択可能とするように構成されることを特徴とする請求項３記載のサーバシステム。
【請求項５】
前記施設情報作成メニューにおいて、前記情報入力にあたり、施設情報編集と、施設情報入力と、を選択可能とするように構成されることを特徴とする請求項３又は４記載のサーバシステム。
【請求項６】
前記サーバシステムに前記通信網を経て接続される前記クライアントシステムは、パーソナルコンピュータであることを特徴とする請求項１から５のいずれかに記載のサーバシステム。
【請求項７】
車両に搭載され、データで表されたドライブコースにしたがって自車位置を逐次計算しながらナビゲーションを行うナビゲーション手段と、外部の通信網に接続するための無線通信手段と、
前記通信網を介して、所定のサーバシステムから、予め用意された基本ドライブコースと、ユーザが登録した個人ドライブコースと、前記個人ドライブコースを他者も使用できるように共有化した共有ドライブコースと、から選択される所望のドライブコースを取得する手段と、
を備えたことを特徴とする車両端末装置。
【請求項８】
前記無線通信手段は、携帯電話であること、を特徴とする請求項７記載の車両端末装置。
【請求項９】
前記通信網は、インターネットであること、を特徴とする請求項７又は８記載の車両端末装置。
【請求項１０】
請求項１から６のいずれかに記載のサーバシステムと、請求項７から９のいずれかに記載の車両端末装置とを、前記通信網及び前記車両端末装置の前記無線通信手段と、により接続し、
前記通信網を介して前記サーバシステムから前記車両端末装置に対し、その車両端末装置からの要求信号に応じた前記ドライブコースを提供するように構成したこと、
を特徴とするドライブコース配信システム。
【請求項１１】
請求項１０のドライブコース配信システムにおいて、
前記サーバシステムから前記車両端末装置に前記ドライブコースを提供するにあたって、
前記車両端末装置から、ドライブコース配信要求と、前記ナビゲーション手段で得られた前記自車位置と、ユーザ識別情報とを、前記無線通信手段及び前記通信網を介して前記サーバシステムへ伝え、
前記サーバシステムは、前記ユーザ識別情報に基いた認証によりユーザのアクセス権を確認したうえで、前記自車位置を基に前記車両周辺のドライブコースリストを作成して前記車両端末装置に送り、
その車両端末装置では、前記ドライブコースリストを基に前記基本ドライブコース、前記個人ドライブコース又は前記共有ドライブコースの種別と、さらにそのなかで所望のドライブコースを選択し、そのコースを識別するコース識別情報をユーザ識別情報と共に前記サーバシステムへ伝え、
前記サーバシステムでは、前記コース識別情報に該当するドライブコースをもとに、そのコース内の各施設情報を前記自車位置からまわれる最適ルートを決定することによってそのドライブコースを再構築し、再構築したドライブコースを表すドライブコース情報として前記各施設情報及び前記最適ルートを前記車両端末装置へ送り、
その車両端末装置では、送られた前記ドライブコース情報に基いて前記ナビゲーション手段が誘導案内を行うように構成されたことを特徴とするドライブコース配信システム。
【請求項１２】
通信網を通して車両に対し、ナビゲーション用のデータで表されたドライブコースを提供する情報処理方法において、
サーバシステムであるコンピュータが、プログラムに基く制御処理により、
前記ドライブコースとして少なくとも、予め用意された基本ドライブコースと、ユーザが登録した個人ドライブコースと、前記個人ドライブコースを他者も使用できるように共有化した共有ドライブコースと、を予め格納し、
前記通信網を経て接続されるクライアントシステムから、前記個人ドライブコースの登録、個人ドライブコースを前記共有ドライブコースとして共有化する登録、及びいずれかのコースに含まれることがある施設に関する施設情報の登録を受け付け、
前記通信網を介して前記車両に対し、その車両からの要求信号に応じた前記ドライブコースを提供することを特徴とする情報処理方法。
【請求項１３】
前記コンピュータは、プログラムに基く制御処理により、前記クライアントシステムからの前記個人ドライブコース又は施設情報の登録にあたって、
そのクライアントシステムから前記通信網を介して、個人ドライブコースまたは施設情報のどちらを登録したいかの要求と、ユーザ識別情報と、を受信し、
前記ユーザ識別情報に基いてユーザのアクセス権を確認したうえで、前記要求に応じドライブコース作成メニュー又は施設情報作成メニューのデータを前記クライアントシステムに送り、
そのクライアントシステムにおいて前記ドライブコース作成メニュー又は前記施設情報作成メニューへの情報入力により得られたドライブコース又は施設に関する情報を、そのクライアントシステムから受信して登録することを特徴とする請求項１２記載の情報処理方法。
【請求項１４】
前記コンピュータは、プログラムに基く制御処理により、前記ドライブコース作成メニューにおいて、前記情報入力にあたり、施設情報取得と、コース作成と、作成コースの選択と、コース条件設定と、コース登録と、コース編集と、コース条件編集と、施設編集と、未処理コース編集と、を選択可能とすることを特徴とする請求項１３記載の情報処理方法。
【請求項１５】
前記コンピュータは、プログラムに基く制御処理により、前記施設情報作成メニューにおいて、前記情報入力にあたり、施設情報編集と、施設情報入力と、を選択可能とすることを特徴とする請求項１３又は１４記載の情報処理方法。
【請求項１６】
車両に搭載され、データで表されたドライブコースにしたがって自車位置を逐次計算しながらナビゲーションを行うナビゲーション手段と、外部の通信網に接続するための無線通信手段と、を備えた車両端末装置が、コンピュータ及びプログラムによる制御処理に基き、
前記通信網を介して、所定のサーバシステムから、予め用意された基本ドライブコースと、ユーザが登録した個人ドライブコースと、前記個人ドライブコースを他者も使用できるように共有化した共有ドライブコースと、から選択される所望のドライブコースを取得することを特徴とする情報処理方法。
【請求項１７】
請求項１２から１５のいずれかに記載の情報処理方法と、請求項１６の情報処理方法と、を含み、
前記通信網及び前記車両端末装置の前記無線通信手段と、により、サーバシステムであるコンピュータから、前記通信網を介して前記車両に対し、その車両からの要求信号に応じた前記ドライブコースを提供することを特徴とするドライブコース配信方法。
【請求項１８】
請求項１７のドライブコース配信方法において、
前記サーバシステムから前記車両端末装置に前記ドライブコースを提供するにあたって、
前記車両端末装置から、ドライブコース配信要求と、前記ナビゲーション手段で得られた前記自車位置と、ユーザ識別情報とを、前記無線通信手段及び前記通信網を介して前記サーバシステムへ伝え、
前記サーバシステムは、前記ユーザ識別情報に基いた認証によりユーザのアクセス権を確認したうえで、前記自車位置を基に前記車両周辺のドライブコースリストを作成して前記車両端末装置に送り、
その車両端末装置では、前記ドライブコースリストを基に前記基本ドライブコース、前記個人ドライブコース又は前記共有ドライブコースの種別と、さらにそのなかで所望のドライブコースを選択し、そのコースを識別するコース識別情報をユーザ識別情報と共に前記サーバシステムへ伝え、
前記サーバシステムでは、前記コース識別情報に該当するドライブコースをもとに、そのコース内の各施設情報を前記自車位置からまわれる最適ルートを決定することによってそのドライブコースを再構築し、再構築したドライブコースを表すドライブコース情報として前記各施設情報及び前記最適ルートを前記車両端末装置へ送り、
その車両端末装置では、送られた前記ドライブコース情報に基いて前記ナビゲーション手段が誘導案内を行うことを特徴とするドライブコース配信方法。
【請求項１９】
サーバシステムとなるコンピュータを制御することにより、通信網を通して車両に対し、ナビゲーション用のデータで表されたドライブコースを提供する情報処理プログラムにおいて、
そのプログラムは前記コンピュータに、
前記ドライブコースとして少なくとも、予め用意された基本ドライブコースと、ユーザが登録した個人ドライブコースと、前記個人ドライブコースを他者も使用できるように共有化した共有ドライブコースと、を予め格納させ、
前記通信網を経て接続されるクライアントシステムから、前記個人ドライブコースの登録、個人ドライブコースを前記共有ドライブコースとして共有化する登録、及びいずれかのコースに含まれることがある施設に関する施設情報の登録を受け付けさせ、
前記通信網を介して前記車両に対し、その車両からの要求信号に応じた前記ドライブコースを提供させることを特徴とする情報処理プログラム。
【請求項２０】
車両に搭載され、外部の通信網に接続するための無線通信手段を備えた車両端末装置のコンピュータを制御することにより、データで表されたドライブコースにしたがって自車位置を逐次計算しながらナビゲーションを行わせる情報処理プログラムにおいて、
そのプログラムは前記コンピュータに、
前記通信網を介して、所定のサーバシステムから、予め用意された基本ドライブコースと、ユーザが登録した個人ドライブコースと、前記個人ドライブコースを他者も使用できるように共有化した共有ドライブコースと、から選択される所望のドライブコースを取得させることを特徴とする情報処理プログラム。
【発明の詳細な説明】
【０００１】
【発明の属する技術分野】
本発明は、ユーザ個人により登録されたり、共有化されたコースも配信対象に加えることで、ユーザのニーズにマッチしたドライブコースを提供するナビゲーションの技術すなわちサーバシステム、車両端末装置、ドライブコース配信システム及び方法、情報処理方法及びプログラムに関するものである。
【０００２】
【従来の技術】
近年、自動車とデジタル技術の普及に伴い、ナビゲーションの技術が進展しつつある。ナビゲーションは、指定された目的地への最適な誘導経路に沿って、車両に搭載した装置が、リアルタイムに検出する自車位置と周辺地図を画面表示しながら、右左折等の誘導を画面出力や音声合成等で提供するものである。
【０００３】
このようなナビゲーションの態様は、オンボードとオフボードに大別でき、オンボードは、経路探索を車載機内で行うもので、経路探索用の道路地図データが車載機内のＣＤ−ＲＯＭやＤＶＤ−ＲＯＭに予め用意される。一方、オフボードは、経路探索用のデータの保有やそれに基づく経路探索処理を、携帯電話等の通信経由でアクセス可能な外部の設備に行わせるものである。
【０００４】
これらオンボードとオフボードは、適宜組み合わせたり選択的に用いることが可能で、従来の例として、サーバ等のセンター設備からインターネットおよび携帯電話網を介して、データで表されたドライブコースを車載ナビゲーション装置へ配信し、配信後の誘導案内は車載ナビゲーション装置に行わせるドライブコース配信システムがある。
【０００５】
【発明が解決しようとする課題】
しかしながら、上記のような従来技術では、配信されるドライブコースは、サービス提供者があらかじめセンターに登録した既製品のドライブコースに限定されることから、コースの数が限られるうえ、ユーザのニーズにマッチしたものも少ないという問題があった。また、従来では、そのような既製品のドライブコースをそっくりそのまま配信していたため、コース内ではテーマパーク、宿泊地、観光名所等の施設の順序とそれらを回るルートが予め一意に固定されており、ドライブ開始時もしくはドライブ中の任意の地点からスタートする前提で、最適なドライブコースを提供することはできないという問題もあった。
【０００６】
本発明は、上記のような従来技術の問題点を解決するために提案されたもので、その目的は、ユーザ個人により登録されたり、共有化されたコースも配信対象に加えることで、ユーザのニーズにマッチしたドライブコースを提供するナビゲーションの技術すなわちサーバシステム、車両端末装置、ドライブコース配信システム及び方法、情報処理方法及びプログラムを提供することである。また、本発明の他の目的は、ドライブ中の任意の地点においても最適なドライブコースを提供するナビゲーションの技術を提供することである。
【０００７】
【課題を解決するための手段】
上記の目的を達成するため、請求項１の発明は、通信網を通して車両に対し、ナビゲーション用のデータで表されたドライブコースを提供するサーバシステムにおいて、前記ドライブコースとして少なくとも、予め用意された基本ドライブコースと、ユーザが登録した個人ドライブコースと、前記個人ドライブコースを他者も使用できるように共有化した共有ドライブコースと、を格納する手段と、前記通信網を経て接続されるクライアントシステムから、前記個人ドライブコースの登録、個人ドライブコースを前記共有ドライブコースとして共有化する登録、及びいずれかのコースに含まれることがある施設に関する施設情報の登録を受け付ける手段と、前記通信網を介して前記車両に対し、その車両からの要求信号に応じた前記ドライブコースを提供する手段と、を備えたことを特徴とする。
【０００８】
請求項１２の発明は、請求項１の発明を方法という見方から捉えたもので、通信網を通して車両に対し、ナビゲーション用のデータで表されたドライブコースを提供する情報処理方法において、サーバシステムであるコンピュータが、プログラムに基く制御処理により、前記ドライブコースとして少なくとも、予め用意された基本ドライブコースと、ユーザが登録した個人ドライブコースと、前記個人ドライブコースを他者も使用できるように共有化した共有ドライブコースと、を予め格納し、前記通信網を経て接続されるクライアントシステムから、前記個人ドライブコースの登録、個人ドライブコースを前記共有ドライブコースとして共有化する登録、及びいずれかのコースに含まれることがある施設に関する施設情報の登録を受け付け、前記通信網を介して前記車両に対し、その車両からの要求信号に応じた前記ドライブコースを提供することを特徴とする。
【０００９】
請求項１９の発明は、請求項１，１２の発明をコンピュータのプログラムという見方から捉えたもので、サーバシステムとなるコンピュータを制御することにより、通信網を通して車両に対し、ナビゲーション用のデータで表されたドライブコースを提供する情報処理プログラムにおいて、そのプログラムは前記コンピュータに、前記ドライブコースとして少なくとも、予め用意された基本ドライブコースと、ユーザが登録した個人ドライブコースと、前記個人ドライブコースを他者も使用できるように共有化した共有ドライブコースと、を予め格納させ、前記通信網を経て接続されるクライアントシステムから、前記個人ドライブコースの登録、個人ドライブコースを前記共有ドライブコースとして共有化する登録、及びいずれかのコースに含まれることがある施設に関する施設情報の登録を受け付けさせ、前記通信網を介して前記車両に対し、その車両からの要求信号に応じた前記ドライブコースを提供させることを特徴とする。
【００１０】
これらの態様では、予め用意された基本ドライブコースに加え、ユーザが作成した個人ドライブコースや、それが共有化・公開化された共有ドライブコースからドライブコースが選択できるので、候補の数が増え、ユーザのニーズにマッチしたドライブコースの選択が容易となる。
【００１１】
請求項２の発明は、請求項１記載のサーバシステムにおいて、前記通信網は、インターネットであることを特徴とする。
【００１２】
この態様では、インターネットの利用により、いつでもどこからでも安価で信頼性の高い通信が実現される。
【００１３】
請求項３の発明は、請求項１又は２記載のサーバシステムにおいて、前記クライアントシステムからの前記個人ドライブコース又は施設情報の登録にあたって、前記サーバシステムは、そのクライアントシステムから前記通信網を介して、個人ドライブコースまたは施設情報のどちらを登録したいかの要求と、ユーザ識別情報と、を受信し、前記ユーザ識別情報に基いてユーザのアクセス権を確認したうえで、前記要求に応じドライブコース作成メニュー又は施設情報作成メニューのデータを前記クライアントシステムに送り、そのクライアントシステムにおいて前記ドライブコース作成メニュー又は前記施設情報作成メニューへの情報入力により得られたドライブコース又は施設に関する情報を、そのクライアントシステムから受信して登録するように構成されたことを特徴とする。
【００１４】
請求項１３の発明は、請求項３の発明を方法という見方から捉えたもので、請求項１２記載の情報処理方法において、前記コンピュータは、プログラムに基く制御処理により、前記クライアントシステムからの前記個人ドライブコース又は施設情報の登録にあたって、そのクライアントシステムから前記通信網を介して、個人ドライブコースまたは施設情報のどちらを登録したいかの要求と、ユーザ識別情報と、を受信し、前記ユーザ識別情報に基いてユーザのアクセス権を確認したうえで、前記要求に応じドライブコース作成メニュー又は施設情報作成メニューのデータを前記クライアントシステムに送り、そのクライアントシステムにおいて前記ドライブコース作成メニュー又は前記施設情報作成メニューへの情報入力により得られたドライブコース又は施設に関する情報を、そのクライアントシステムから受信して登録することを特徴とする。
【００１５】
請求項４の発明は、請求項３記載のサーバシステムにおいて、前記ドライブコース作成メニューにおいて、前記情報入力にあたり、施設情報取得と、コース作成と、作成コースの選択と、コース条件設定と、コース登録と、コース編集と、コース条件編集と、施設編集と、未処理コース編集と、を選択可能とするように構成されることを特徴とする。
【００１６】
請求項１４の発明は、請求項４の発明を方法という見方から捉えたもので、請求項１３記載の情報処理方法において、前記コンピュータは、プログラムに基く制御処理により、前記ドライブコース作成メニューにおいて、前記情報入力にあたり、施設情報取得と、コース作成と、作成コースの選択と、コース条件設定と、コース登録と、コース編集と、コース条件編集と、施設編集と、未処理コース編集と、を選択可能とすることを特徴とする。
【００１７】
請求項５の発明は、請求項３又は４記載のサーバシステムにおいて、前記施設情報作成メニューにおいて、前記情報入力にあたり、施設情報編集と、施設情報入力と、を選択可能とするように構成されることを特徴とする。
【００１８】
請求項１５の発明は、請求項５の発明を方法という見方から捉えたもので、請求項１３又は１４記載の情報処理方法において、前記コンピュータは、プログラムに基く制御処理により、前記施設情報作成メニューにおいて、前記情報入力にあたり、施設情報編集と、施設情報入力と、を選択可能とすることを特徴とする。
【００１９】
これらの態様では、ドライブコースや施設情報の作成に、ＨＴＭＬやスクリプトなどで実現されるそれぞれの作成メニューを用いるので、ユーザが特段の作成ツールやファイル転送プログラム等を用意することなく、オリジナルなドライブコース等を容易に作成、登録可能となる。
【００２０】
請求項６の発明は、請求項１から５のいずれかに記載のサーバシステムにおいて、前記サーバシステムに前記通信網を経て接続される前記クライアントシステムは、パーソナルコンピュータであることを特徴とする。
【００２１】
この態様では、個人ドライブコースの登録等をパソコンから可能とすることにより、だれでも容易にドライブコースを登録可能となる。
【００２２】
請求項７の車両端末装置は、車両に搭載され、データで表されたドライブコースにしたがって自車位置を逐次計算しながらナビゲーションを行うナビゲーション手段と、外部の通信網に接続するための無線通信手段と、前記通信網を介して、所定のサーバシステムから、予め用意された基本ドライブコースと、ユーザが登録した個人ドライブコースと、前記個人ドライブコースを他者も使用できるように共有化した共有ドライブコースと、から選択される所望のドライブコースを取得する手段と、を備えたことを特徴とする。
【００２３】
請求項１６の情報処理方法は、請求項７の発明を方法という見方から捉えたもので、車両に搭載され、データで表されたドライブコースにしたがって自車位置を逐次計算しながらナビゲーションを行うナビゲーション手段と、外部の通信網に接続するための無線通信手段と、を備えた車両端末装置が、コンピュータ及びプログラムによる制御処理に基き、前記通信網を介して、所定のサーバシステムから、予め用意された基本ドライブコースと、ユーザが登録した個人ドライブコースと、前記個人ドライブコースを他者も使用できるように共有化した共有ドライブコースと、から選択される所望のドライブコースを取得することを特徴とする。
【００２４】
請求項２０の発明は、請求項７，１６の発明をコンピュータのプログラムという見方から捉えたもので、車両に搭載され、外部の通信網に接続するための無線通信手段を備えた車両端末装置のコンピュータを制御することにより、データで表されたドライブコースにしたがって自車位置を逐次計算しながらナビゲーションを行わせる情報処理プログラムにおいて、そのプログラムは前記コンピュータに、前記通信網を介して、所定のサーバシステムから、予め用意された基本ドライブコースと、ユーザが登録した個人ドライブコースと、前記個人ドライブコースを他者も使用できるように共有化した共有ドライブコースと、から選択される所望のドライブコースを取得させることを特徴とする。
【００２５】
これらの態様では、予め用意された基本ドライブコースに加え、ユーザが作成した個人ドライブコースや、それが共有化・公開化された共有ドライブコースからドライブコースが選択できるので、候補の数が増え、ユーザのニーズにマッチしたドライブコースの選択が容易となる。
【００２６】
請求項８の発明は、請求項７記載の車両端末装置において、前記無線通信手段は、携帯電話であること、を特徴とする。
【００２７】
この態様では、携帯電話の利用により、いつでもどこでも簡単、安全、高信頼度、低コストの無線通信が実現される。
【００２８】
請求項９の発明は、請求項７又は８記載の車両端末装置において、前記通信網は、インターネットであること、を特徴とする。
【００２９】
この態様では、インターネットの利用により、いつでもどこからでも安価で信頼性の高い通信が実現される。
【００３０】
請求項１０のドライブコース配信システムは、請求項１から６のいずれかに記載のサーバシステムと、請求項７から９のいずれかに記載の車両端末装置とを、前記通信網及び前記車両端末装置の前記無線通信手段と、により接続し、前記通信網を介して前記車両端末装置に対し、その車両端末装置からの要求信号に応じた前記ドライブコースを提供するように構成したこと、を特徴とする。
【００３１】
請求項１７のドライブコース配信方法は、請求項１０の発明を方法という見方から捉えたもので、請求項１２から１５のいずれかに記載の情報処理方法と、請求項１６の情報処理方法と、を含み、前記通信網及び前記車両端末装置の前記無線通信手段と、により、サーバシステムであるコンピュータから、前記通信網を介して前記車両に対し、その車両からの要求信号に応じた前記ドライブコースを提供することを特徴とする。
【００３２】
これらの態様では、予め用意された基本ドライブコースに加え、ユーザが作成した個人ドライブコースや、それが共有化・公開化された共有ドライブコースからドライブコースが選択できるので、候補の数が増え、ユーザのニーズにマッチしたドライブコースの選択が容易となる。
【００３３】
請求項１１の発明は、請求項１０のドライブコース配信システムにおいて、前記サーバシステムから前記車両端末装置に前記ドライブコースを提供するにあたって、前記車両端末装置から、ドライブコース配信要求と、前記ナビゲーション手段で得られた前記自車位置と、ユーザ識別情報とを、前記無線通信手段及び前記通信網を介して前記サーバシステムへ伝え、前記サーバシステムは、前記ユーザ識別情報に基いた認証によりユーザのアクセス権を確認したうえで、前記自車位置を基に前記車両周辺のドライブコースリストを作成して前記車両端末装置に送り、その車両端末装置では、前記ドライブコースリストを基に前記基本ドライブコース、前記個人ドライブコース又は前記共有ドライブコースの種別と、さらにそのなかで所望のドライブコースを選択し、そのコースを識別するコース識別情報をユーザ識別情報と共に前記サーバシステムへ伝え、前記サーバシステムでは、前記コース識別情報に該当するドライブコースをもとに、そのコース内の各施設情報を前記自車位置からまわれる最適ルートを決定することによってそのドライブコースを再構築し、再構築したドライブコースを表すドライブコース情報として前記各施設情報及び前記最適ルートを前記車両端末装置へ送り、その車両端末装置では、送られた前記ドライブコース情報に基いて前記ナビゲーション手段が誘導案内を行うように構成されたことを特徴とする。
【００３４】
請求項１８の発明は、請求項１１の発明を方法という見方から捉えたもので、請求項１７のドライブコース配信方法において、前記サーバシステムから前記車両端末装置に前記ドライブコースを提供するにあたって、前記車両端末装置から、ドライブコース配信要求と、前記ナビゲーション手段で得られた前記自車位置と、ユーザ識別情報とを、前記無線通信手段及び前記通信網を介して前記サーバシステムへ伝え、前記サーバシステムは、前記ユーザ識別情報に基いた認証によりユーザのアクセス権を確認したうえで、前記自車位置を基に前記車両周辺のドライブコースリストを作成して前記車両端末装置に送り、その車両端末装置では、前記ドライブコースリストを基に前記基本ドライブコース、前記個人ドライブコース又は前記共有ドライブコースの種別と、さらにそのなかで所望のドライブコースを選択し、そのコースを識別するコース識別情報をユーザ識別情報と共に前記サーバシステムへ伝え、前記サーバシステムでは、前記コース識別情報に該当するドライブコースをもとに、そのコース内の各施設情報を前記自車位置からまわれる最適ルートを決定することによってそのドライブコースを再構築し、再構築したドライブコースを表すドライブコース情報として前記各施設情報及び前記最適ルートを前記車両端末装置へ送り、その車両端末装置では、送られた前記ドライブコース情報に基いて前記ナビゲーション手段が誘導案内を行うことを特徴とする。
【００３５】
これらの態様では、車両側から送信する自車位置から、ドライブコースに含まれる各施設を回れる最適なルートという形で、ドライブコースが再構築のうえ配信されるので、ドライブの開始時や途中など任意の地点からドライブコースを円滑に利用開始可能となる。
【００３６】
【発明の実施の形態】
次に、本発明の実施の形態（以下「実施形態」と呼ぶ）について、添付の図面を参照して具体的に説明する。なお、本実施形態は、コンピュータをプログラムで制御することにより実現され、システムや装置といった物のカテゴリーだけでなく方法及びプログラムとしても把握可能であるが、具体的なプログラムやハードウェアの実現態様は各種変更可能であるから、以下の説明では、本発明及び本実施形態の各機能を実現する仮想的回路ブロックを用いる。
【００３７】
〔１．構成〕
本実施形態は、本発明のドライブコース配信システム（以下「本システム」と呼ぶ）に加え、本システムを構成する車載ナビゲーション装置（前記車両端末装置にあたるもので、以下「車載機」とも呼ぶ）と、ドライブコース配信サーバシステム（前記サーバシステムにあたるもので、以下「配信サーバ」とも呼ぶ）としても把握可能であり、これらを実現する情報処理方法及びプログラムとしても把握可能である。
【００３８】
〔１−１．全体構成〕
すなわち、本システムは、図１の全体構成図に示すように、車両に搭載される車載機（車載ナビゲーション装置）１と、センター等所定の場所に設置される配信サーバ（ドライブコース配信サーバシステム）２と、主に家庭に設置されるパソコン等の情報登録装置Ｃ（前記クライアントシステムにあたる）とを、通信網であるインターネットＮ、及び、無線通信手段を実現する携帯電話網Ｋとにより接続したものである。
【００３９】
〔１−２．配信サーバの構成〕
このうち、配信サーバ２は、車両に搭載された車載機１に対し、インターネットＮを通して、ナビゲーション用のデータで表されたドライブコースすなわちドライブコース情報を提供するサーバシステムであり、ドライブコース情報の登録や施設情報の登録等も行う。この配信サーバ２は、ドライブコースデータベース２１と、コース等登録部２２と、ドライブコース配信部２３と、ユーザデータベース２４と、を備える。
【００４０】
このうち、ドライブコースデータベース２１は、前記ドライブコースとして少なくとも、予め用意された基本ドライブコース（「基本コース」とも呼ぶ）と、ユーザが登録した個人ドライブコース（「個人コース」とも呼ぶ）と、前記個人ドライブコースを他者も使用できるように共有化した共有ドライブコース（「共有コース」とも呼ぶ）と、を格納する手段である。
【００４１】
また、コース等登録部２２は、インターネットＮを経て接続される情報登録装置Ｃから、前記個人ドライブコースの登録、個人ドライブコースを前記共有ドライブコースとして共有化する登録、及びいずれかのコースに含まれることがある施設に関する施設情報の登録を受け付ける手段である。施設情報は、必ずしもコースの一部でなくてもよく、単独のものとしても登録できる。
【００４２】
また、ドライブコース配信部２３は、インターネットＮを介して前記車両に対し、その車両からの要求信号に応じた前記ドライブコースを提供する手段である。また、ユーザデータベース２４は、ユーザ管理用のユーザＩＤのほか、必要なパスワード、公開鍵、設定等、各ユーザごとの情報を格納する部分である。
【００４３】
なお、サーバシステムの構成は自由であり、例えば、インターネットに接続されたドライブコース配信サーバと、ユーザデータベースのサーバと、基本コース、個人コースおよび共有コースを格納したドライブコースデータベースのサーバと、を物理的に別々のサーバで構成し、それらをＬＡＮで接続することによって、単一のサーバシステムを構成するようにしてもよい。
【００４４】
〔１−３．車載機の構成〕
一方、車載機１は、車両に搭載されるもので、ドライブコース格納部１１と、ナビゲーション機器１２と、ユーザ情報格納部１３と、を備え、ユーザのインターネットに接続可能な携帯電話端末１４がコネクタを通して接続される。
【００４５】
このうち、ドライブコース格納部１１は、配信サーバ２から配信されたドライブコースを格納する部分である。
【００４６】
また、ナビゲーション機器１２は、データで表されたドライブコースにしたがって自車位置を逐次計算しながらナビゲーションを行うナビゲーション手段であり、ここでは、配信されたドライブコース情報をもとに、各種施設の案内・誘導を行う。また、このナビゲーション機器１２は、図示はしないが、ＧＰＳ受信機、ＣＰＵ部、ＣＤ−ＲＯＭ等の地図格納部、各種操作や表示を行う表示部や操作スイッチ等のＨＭＩ（ヒューマンインタフェース）部等を備え、インターネットプロトコルによる通信処理が可能なＴＣＰ／ＩＰスタック等を備える。
【００４７】
また、ユーザ情報格納部１３は、配信サーバ２で認証を受けるためのユーザＩＤや、その他の必要な暗号鍵、個人データ等のユーザ情報を格納する部分である。
【００４８】
〔１−４．その他の構成〕
また、携帯電話端末１４は、携帯電話網Ｋと共に、外部の通信網であるインターネットＮに接続するための無線通信手段を実現している。すなわち、本実施形態における無線通信手段は携帯電話であり、車載機１と配信サーバ２とは、通信網であるインターネットＮ、及び、車載機１の携帯電話端末１４とにより接続される。
【００４９】
また、配信サーバ２にインターネットＮを経て接続されるクライアントシステムである情報登録装置Ｃは、パーソナルコンピュータであり、例えば、インターネットに常時接続回線やダイヤルアップ接続等により接続するものでよい。また、情報登録装置Ｃは、ハードディスクドライブなどのユーザ情報格納部Ｃ１を備え、ユーザによるドライブコース作成（登録）やドライブコース内の施設情報作成（登録）を行う。
【００５０】
〔２．作用〕
上記のように構成された本実施形態は次のように作用する。
〔２−１．作用の概略〕
すなわち、車載機１からの要求に応じて車載機１に対し配信サーバ２が提供する対象は、基本コースの他、情報登録装置Ｃから登録された施設情報や個人コース、さらには個人コースを他者も使用できるように共有化した共有コースから、要求者が選択できる。
【００５１】
そして、情報登録装置Ｃからの個人コース又は施設情報の登録すなわち作成にあたって、配信サーバ２のコース等登録部２２は、次のような手順を用いる。すなわち、配信サーバ２のコース等登録部２２は、その情報登録装置ＣからインターネットＮを介して、個人コースまたは施設情報のどちらを登録したいかの要求と、ユーザ識別情報と、を受信し、そのユーザ識別情報に基いてユーザのアクセス権を確認したうえで、前記要求に応じドライブコース作成メニュー又は施設情報作成メニューのデータを情報登録装置Ｃに送る。
【００５２】
そして、配信サーバ２のコース等登録部２２は、その情報登録装置Ｃにおいてドライブコース作成メニュー又は施設情報作成メニューへの情報入力により得られたドライブコース又は施設に関する情報を、その情報登録装置Ｃから受信して登録する。
【００５３】
より具体的には、前記ドライブコース作成メニューは、前記情報入力にあたり、施設情報取得と、コース作成と、作成コースの選択と、コース条件設定と、コース登録と、コース編集と、コース条件編集と、施設編集と、未処理コース編集と、から選択される処理を行うように構成される。
【００５４】
同様に、前記施設情報作成メニューは、前記情報入力にあたり、施設情報編集と、施設情報入力と、から選択される処理を行うように構成される。
【００５５】
また、配信サーバ２から車載機１にドライブコースを提供するにあたっては、次のような手順が用いられる。すなわち、車載機１から、ドライブコース配信要求と、ナビゲーション機器１２で得られた自車位置と、ユーザ識別情報とを、無線通信手段である携帯電話端末１４及び携帯電話網Ｋをを介して配信サーバ２へ伝え、配信サーバ２のドライブコース配信部２３は、受信したユーザ識別情報に基いた認証によりユーザのアクセス権を確認したうえで、前記自車位置を基に前記車両周辺のドライブコースリストを作成して車載機１へ送る。
【００５６】
すると、車載機１では、そのドライブコースリストを基に基本ドライブコース、個人ドライブコース、共有ドライブコースのなかから所望のドライブコースをユーザに選択させ、どのコースが選択されたかを表すコース識別情報をユーザ識別情報と共に前記サーバシステムへ伝える。
【００５７】
これに対し、配信サーバ２では、そのコース識別情報に該当するドライブコースをもとに、そのコース内の各施設情報を前記自車位置からまわれる最適ルートを決定することによってそのドライブコースを再構築し、再構築したドライブコースを表すドライブコース情報として前記各施設情報及び前記最適ルートを車載機１へ送り、車載機１では、送られたそのドライブコース情報に基いてナビゲーション機器１２が誘導案内を行う。
【００５８】
〔２−２．ドライブコースの配信〕
続いて、より具体的に、車載機１と配信サーバ２との間において、ドライブコースの配信を行う処理手順を図２のフローチャートに示す。すなわち、まず、車載機１において、メニュー選択などユーザによる所定の配信要求操作が行われると（ステップ１１）、ドライブコースの配信要求とナビゲーション機器により得られた自車位置すなわち車両の位置情報、ユーザ情報格納部１３に格納されているユーザＩＤが、携帯電話網ＫおよびインターネットＮを介して、車載機１から配信サーバ２へ転送される（ステップ１２）。
【００５９】
配信サーバ２では、そのようにインターネットＮを介してドライブコース配信要求とユーザＩＤが転送されると、ユーザデータベース２４をもとに、ユーザの認証を行う（ステップ１３）。なお、配信サーバ２は、すべてユーザの認証を行うものとする。
【００６０】
そして、ユーザにアクセス権がある場合、配信サーバ２のドライブコース配信部２３は、車両の位置情報をもとに、ドライブコースデータベース２１より、車両位置の周辺のドライブコースを検索し、ドライブコースのリストを作成した後、インターネットＮおよび携帯電話網Ｋを介して車載機１へ転送する（ステップ１４）。ここで、ドライブコースのリストは、ドライブコースの名称、コースの概要、基本コース、個人コース、共有コースを識別するコース識別ＩＤ、ドライブコース毎に付加されるユニークなコース番号等を含むが、具体的には自由である。
【００６１】
なお、車両位置周辺のドライブコースの検索は、ドライブコース内の施設の位置情報をもとに行うが、その検索範囲については、例えば同一都道府県内限定や隣接都道府県に及んでよいなど、利用者側から任意に選択可能としてもよい。
【００６２】
そして、車載機１は、ドライブコースのリストが転送されると、そのデータをドライブコース格納部１１へ格納し、ナビゲーション機器１２において、ドライブコース格納部１１に格納されているドライブコースのリストをもとに、ユーザが所定の操作により所望のドライブコースを選択すると、ユーザＩＤとともに、選択されたコースを識別する識別情報例えばコース番号が配信サーバ２へ転送される（ステップ１６）。
【００６３】
すると、配信サーバ２において、そのように転送されたコース番号をもとに、該当するドライブコースの再構築が行われる。すなわち、ドライブコースは、複数の施設情報を、それらをめぐるルートで接続したものであり、暫定的な出発地点や終着点が定義されている。現在の自車位置がその暫定的な出発点に極めて近い場合はドライブコースをそのまま利用できるが、通常はそうでないので、現在の自車位置を出発点としてドライブコースの再構築を行う（ステップ１７）。
【００６４】
すなわち、配信サーバ２のドライブコース配信部２３は、ドライブコースデータベース２１から、該当するドライブコース内の複数の施設情報を取得し、また車両の位置情報をもとに、車両の現在位置からそれら複数の施設を最短距離で回れるように、最適なルートを決定する。なお、ここで最短距離とは例示であり、実際には道路の各区間を表すリンクごとに所要時間の長さなど所定のコスト値を設定しておき、そのコスト値の合計が最小となるように、また、一般道優先や高速優先といったユーザの設定に応じた最適ルートの探索を行う。
【００６５】
その探索は、ドライブコース中の各施設を経由地としたものとするが、目的地については、ユーザの操作に応じて、施設中から選択させてもよいし、出発地に戻るようにしてもよい。
【００６６】
ドライブコース配信部２３は、そのようにしてドライブコース内の施設の最適ルートが決定されると、施設情報とそのルートからなるドライブコース情報を車載ナビゲーション装置へ転送する（ステップ１８）。なお、施設情報は、施設の名称、住所、写真、電話番号、コメント、位置情報、施設種別等からなる。ここで、施設情報の登録における施設種別には「基本施設」、「個人施設」、「共有施設」があり、ドライブコースの種別と同様に、「基本施設」はあらかじめ登録されている施設情報であり、個人施設はユーザが作成したオリジナルな施設情報であり、共有施設はユーザが作成した施設情報を他のユーザも使用できるように共有化したものである。
【００６７】
そして、車載機１は、ドライブコース情報が転送されると、ドライブコース格納部１１へ格納し、ナビゲーション機器１２において、そのドライブコース情報をもとに各種施設の誘導・案内を行う（ステップ１９）。
【００６８】
〔２−３．ドライブコース作成〕
次に、情報登録装置Ｃと配信サーバ２との間で、個人ドライブコースを登録する際の概略的処理手順を図３のフローチャートに示す。ここで、個人ドライブコースは、配信サーバ２内の既存の施設情報を必要な数だけ選択することで作成できるが、コース中の施設には、ユーザが登録した個人施設を含めることもできる。
【００６９】
まず、図３に示すように、情報登録装置Ｃにおいて、ユーザが所定のドライブコース作成要求操作を行うと（ステップ２１）、ドライブコース作成要求と、ユーザ情報格納部Ｃ１に格納されているユーザＩＤとが、インターネットＮを介して、配信サーバ２へ転送される（ステップ２２）。
【００７０】
すると、配信サーバ２において、インターネットＮを介してドライブコース作成要求とユーザＩＤが受信され、ドライブコース配信部２３は、ユーザデータベース２４を参照することによってユーザの認証を行う（ステップ２３）。
【００７１】
その結果、ユーザにアクセス権がある場合、ドライブコース配信部２３は、ドライブコース作成メニューをインターネットＮを介して情報登録装置Ｃへ転送する（ステップ２４）。ここで、ドライブコース作成メニューは、その内容を表すデータすなわちドライブコース作成メニューデータの形で表されるが、その具体的形式は自由である。
【００７２】
すなわち、図３では便宜上、単一のステップ２４として表しているが、例えば、ＨＴＴＰ及びＨＴＭＬに基づき、入力フォームを備えたウェブページのデータを１ページずつサーバ側からクライアント側へ送り、クライアント側での入力内容をＰＯＳＴ等の形式でサーバ側へ送り返し、その内容に応じて次のページをサーバ側から送り返す形式でもよいし、Ｊａｖａ　Ｓｃｒｉｐｔやアプレットのように、複数のメニュー画面やその遷移、処理などを含むプログラムをサーバ側からクライアント側へまとめて送り、クライアント側で受付した入力内容をまとめてサーバ側へ送り返すようにしてもよい。これらの態様に応じ、「メニュー」は、「メニュー群」や「メニュー実現用プログラム」と解釈することができる。いずれにしても、ドライブコース作成メニューで行う処理は、施設情報取得、施設選択、コース登録・削除、共有コース登録・解除等からなる。
【００７３】
そして、情報登録装置Ｃでは、ドライブコース作成メニューが転送されて来ると、その作成メニューにしたがって、ドライブコース情報の入力を行い（ステップ２５）、そのように入力されたドライブコース情報はユーザＩＤとともにドライブコース配信部２３へ送信され（ステップ２６）、ドライブコースデータベース２１に個人コースの情報として登録される（ステップ２７）。
【００７４】
〔２−４．施設情報作成〕
また、ユーザは、上記のようなドライブコースの部品として、又は個人的な備忘録など自由な目的で、所望の施設に関する施設情報を作成し、配信サーバ２へ登録することができる。ここで、施設とは、大規模な施設には限定されず、例えば、ユーザが見つけた隠れた名店、わかりやすい目標物、絶景ポイント、スノーチェーン装着好適場所等を自由に登録させてよい。そのような施設情報の作成に関する処理手順を図４に示す。
【００７５】
すなわち、情報登録装置Ｃにおいて、ユーザが所定の施設情報作成要求操作を行うと（ステップ３１）、施設情報作成要求と、ユーザ情報格納部１３に格納されているユーザＩＤが、インターネットＮを介して、配信サーバ２のドライブコース配信部２３へ転送される（ステップ３２）。
【００７６】
配信サーバ２では、インターネットＮを介して施設情報作成要求とユーザＩＤが転送されると、ドライブコース配信部２３は、ユーザデータベース２４をもとに、ユーザの認証を行う（ステップ３３）。
【００７７】
この結果、ユーザにアクセス権がある場合、ドライブコース配信部２３は、施設情報作成メニューをインターネットを介して情報登録装置Ｃへ転送する（ステップ３４）。この施設情報作成メニューの性質も、ドライブコース作成メニューに準じたもので、その内容を表すデータすなわち施設情報作成メニューデータの形で表されるが、その具体的形式は自由である。
【００７８】
例えば、ＨＴＴＰ及びＨＴＭＬに基づき、入力フォームを備えたウェブページのデータを１ページずつサーバ側からクライアント側へ送り、クライアント側での入力内容をＰＯＳＴ等の形式でサーバ側へ送り返し、その内容に応じて次のページをサーバ側から送り返す形式でもよいし、ＪａｖａＳｃｒｉｐｔやアプレットのように、複数のメニュー画面やその遷移、処理などを含むプログラムをサーバ側からクライアント側へまとめて送り、クライアント側で受付した入力内容をまとめてサーバ側へ送り返すようにしてもよい。したがって、「メニュー」とは、「メニュー群」「メニュー実現用プログラム」と解釈することができる。なお、施設情報作成メニューで行う処理は、施設情報作成、編集、登録・削除、さらに共有施設登録・解除等からなる。
【００７９】
そして、情報登録装置Ｃでは、上記のような施設情報作成メニューが転送されると、作成メニューにしたがって、施設情報の入力を行い（ステップ３５）、そのように入力された施設情報は配信サーバ２へ転送され（ステップ３６）、ドライブコースデータベース２１に施設情報として登録される（ステップ３７）。
【００８０】
〔２−５．ドライブコース作成メニュー〕
次に、ドライブコース作成時のドライブコース作成メニューにおける各処理の一例を図５及び図６に示す。これら図５及び図６は、便宜上分けて示しているが、同じドライブコース作成メニューに属する一体のもので、各機能は例えば、所定のメインメニューから選択肢により呼び出される。なお、並列的又は選択的関係にある処理は便宜的に同じ丸数字を附する。
【００８１】
例えば、図５において、▲１▼施設情報取得は、既にドライブコースデータベース２１内に存在する施設の情報を呼び出す処理で、例えば、施設種別（基本施設、個人施設、共有施設）を選択した後、都道府県一覧から地域を選択し、特定地域内の施設情報の検索を行う。また、施設名や電話番号からの検索などを可能としてもよい。
【００８２】
▲２▼施設選択・他の施設検索は、新たな個人コースを構成させようとする施設として、検索された複数の施設情報の中から所望の施設の選択を行うか、又は、所望の施設がない場合は▲１▼施設情報取得に戻り、他の施設情報の検索を行う処理である。なお、ここでの施設情報は、施設の名称、住所、写真、電話番号、概要説明、位置情報等からなる。また、施設は所定数まで複数選択ができる。
【００８３】
▲３▼コース作成・施設追加は、選択した施設を要素とするコースを作成する場合はコース作成に進み、他方、施設を追加する場合は▲１▼施設情報取得に戻り、他の施設情報の検索を行う処理である。
【００８４】
▲４▼作成コースの選択・未処理コースは、上記で選択した施設群をコースとして選択し、又は複数の未処理コース一覧の中から作成するドライブコースの選択を行うもので、ここでいう未処理コースとは、▲１▼施設情報取得→▲２▼施設選択・他の施設検索→▲３▼コース作成・施設追加を行って施設情報を選択したものの、まだコース条件設定を行っていない処理をいう。つまり、本実施形態では、ユーザの都合にあわせ、施設群の選択までといった作業途中のデータを配信サーバ２に預けておき、後日作業を続行可能である。
【００８５】
▲５▼コース条件設定は、コースの名称およびコメントの入力、都道府県一覧から地域の選択等を行う処理である。なお、各施設間をめぐる具体的順序やそのルートについては、ユーザが指定してもよいし、配信サーバ２側から経路探索機能により推奨例を作成して提示し、ユーザに同意又は選択してもらってもよい。
【００８６】
▲６▼コース登録は、例えば画面操作などによりコース登録を選択し、コースの名称、地域、コースコメントおよび複数の施設情報等からなるドライブコースを、ドライブコースデータベース２１へ個人コースとして登録する処理である。
【００８７】
また、図６において、
▲７▼コース編集は、既存の個人のドライブコースの編集・削除および共有コースへの登録（共有化）・解除を行う処理である。
【００８８】
▲８▼コース条件編集は、登録されている既存のコースの名称、地域、コメント等の編集を行う処理である。
【００８９】
▲９▼施設編集は、既存のコース内の施設の追加・削除を行う処理であり、施設の追加は、上記と同様に、▲１▼施設情報取得→▲２▼施設選択・他の施設検索→▲３▼コース作成・施設追加に準じて行う。以下図中の丸数字を（１０）（１１）（１２）と表す。
【００９０】
（１０）未処理コース削除は、コース条件設定を行っていない未処理のコースの削除を行う処理である。
【００９１】
〔２−５．施設情報作成メニュー〕
また、上で説明したような施設情報作成時における施設情報作成メニューにおける各処理を図７に示す。すなわち、（１１）施設情報入力は、施設の名称、住所、写真、電話番号、コメント、位置情報等を入力する処理であり、（１２）施設情報編集は、個人施設の編集・削除、個人施設を共有施設への登録（共有化）を行う処理である。
【００９２】
なお、ドライブコース作成メニュー中から、必要な施設が未登録の場合に、その場で施設情報作成メニューを呼び出して施設情報を登録し、それを使ってドライブコース作成を続行できるようにしてもよい。
【００９３】
〔３．効果〕
以上のように、本実施形態では、予め用意された基本ドライブコースに加え、ユーザが作成した個人ドライブコースや、それが共有化・公開化された共有ドライブコースからドライブコースが選択できるので、候補の数が増え、ユーザのニーズにマッチしたドライブコースの選択が容易となる。
【００９４】
特に、本実施形態では、通信網としてインターネットを利用するので、いつでもどこからでも安価で信頼性の高い通信が実現される。さらに、本実施形態では、無線通信手段として携帯電話の利用により、いつでもどこでも簡単、安全、高信頼度、低コストの無線通信が実現される。
【００９５】
また、本実施形態では、ドライブコースや施設情報の作成に、ＨＴＭＬやスクリプトなどで実現されるそれぞれの作成メニューを用いるので、ユーザが特段の作成ツールやファイル転送プログラム等を用意することなく、オリジナルなドライブコース等を容易に作成、登録可能となる。
【００９６】
また、本実施形態では、車両側から送信する自車位置から、ドライブコースに含まれる各施設を回れる最適なルートという形で、ドライブコースが再構築のうえ配信されるので、ドライブの開始時や途中など任意の地点からドライブコースを円滑に利用開始可能となる。
【００９７】
また、本実施形態では、個人ドライブコースの登録等をパソコンから可能とすることにより、だれでも容易にドライブコースを登録可能となる。
【００９８】
〔４．他の実施形態〕
なお、本発明は上記実施形態に限定されるものではなく、次に例示するような他の実施形態も含むものである。例えば、図１の構成、図２〜４の処理手順、図５〜７のメニュー構成は例示に過ぎず、適宜変更実施可能である。また、携帯電話は無線通信手段の例示に過ぎず、ＰＨＳ、衛星電話などにも置き換え可能である。
【００９９】
【発明の効果】
以上のように、この発明によれば、ユーザ個人により登録されたり、共有化されたコースも配信対象に加えることで、ユーザのニーズにマッチしたドライブコースを提供するナビゲーションの技術すなわちサーバシステム、車両端末装置、ドライブコース配信システム及び方法、情報処理方法及びプログラムを提供することができる。
【図面の簡単な説明】
【図１】本発明の実施形態の構成を示す機能ブロック図。
【図２】本発明の実施形態におけるドライブコース配信の処理手順を示すフローチャート。
【図３】本発明の実施形態におけるドライブコース作成の処理手順を示すフローチャート。
【図４】本発明の実施形態における施設情報作成の処理手順を示すフローチャート。
【図５】本発明の実施形態におけるドライブコース作成メニューの一部を示す概念図。
【図６】本発明の実施形態におけるドライブコース作成メニューの一部を示す概念図。
【図７】本発明の実施形態における施設情報作成メニューの一部を示す概念図。
【符号の説明】
１…車載機
１１…ドライブコース格納部
１２…ナビゲーション機器
１３…ユーザ情報格納部
１４…携帯電話端末
Ｎ…インターネット
Ｋ…携帯電話網
２…配信サーバ
２１…ドライブコースデータベース
２２…コース等登録部
２３…ドライブコース配信部
２４…ユーザデータベース
Ｃ…情報登録装置
Ｃ１…ユーザ情報格納部
ＳＴＥＰ…手順の各ステップ
【図１】
2004077344.tif 000003
【図２】
2004077344.tif 000004
【図３】
2004077344.tif 000005
【図４】
2004077344.tif 000006
【図５】
2004077344.tif 000007
【図６】
2004077344.tif 000008
【図７】
2004077344.tif 000009